(57)【要約】【課題】発信元電話番号の誤表示を抑制することができる。【解決手段】通信装置１０の直流方向検出手段は、当該通信装置と交換機とを接続する電話回線の直流電流方向の変化を検出する。電圧変動検出手段は、前記電話回線の電圧変動を検出する。第１判別手段は、電話番号を受信してから受信完了信号を送信するまでの第１期間に、電話回線の直流電流方向の変化が検出された場合に、該第１期間に前記電話回線の極性反転が生じたと判別する。第２判別手段は、受信完了信号を送信してから、当該通信装置を呼び出すための呼出信号を受信するまでの第２期間に電話回線の電圧変動が検出された場合に、該第２期間に前記電話回線の極性反転が生じたと判別する。第２制御手段は、前記第１期間及び前記第２期間の少なくとも一方の期間に電話回線の極性反転が生じたと判別された場合に、受信した電話番号を表示手段に表示しない制御を行う。【選択図】図１
2013123128.tif 000002
【特許請求の範囲】
【請求項１】
通信装置であって、
前記通信装置と交換機とを接続する電話回線の直流電流方向の変化を検出する直流方向検出手段と、
前記電話回線の電圧変動を検出する電圧変動検出手段と、
前記電話回線に接続された送信元装置の電話番号を表示する表示手段と、
前記交換機から前記電話番号を受信したときに、受信完了信号を前記交換機へ送信する制御を行う第１制御手段と、
前記電話番号を受信してから前記受信完了信号を送信するまでの第１期間に前記電話回線の直流電流方向の変化が検出された場合に、該第１期間に前記電話回線の極性反転が生じたと判別する第１判別手段と、
前記受信完了信号を送信してから、当該通信装置を呼び出すための呼出信号を受信するまでの第２期間に前記電話回線の電圧変動が検出された場合に、該第２期間に前記電話回線の極性反転が生じたと判別する第２判別手段と、
前記第１期間及び前記第２期間の少なくとも一方の期間に前記電話回線の極性反転が生じたと判別された場合に、受信した前記電話番号を前記表示手段に表示しない制御を行う第２制御手段と、
を備えた通信装置。
【請求項２】
前記第１制御手段は、前記第１期間及び前記第２期間の少なくとも一方の期間に前記電話回線の極性反転が生じたと判別された場合に、前記電話回線を閉結し、当該通信装置と前記交換機との間で直流ループを形成する、請求項１に記載の通信装置。
【請求項３】
前記電話回線は２本の回線からなり、
前記電圧変動検出手段は、前記２本の回線に接続された第１フォトカプラと、前記第１フォトカプラに逆並列接続された第２フォトカプラと、前記第１フォトカプラに直列接続されたコンデンサと、を含む請求項１または請求項２に記載の通信装置。
【請求項４】
前記直流電流方向検出手段は、前記２本の回線の一方に並列接続された第３フォトカプラと、前記第３フォトカプラに逆並列接続された第４フォトカプラと、を含む請求項３に記載の通信装置。
【請求項５】
前記第２制御手段は、前記第１期間及び前記第２期間の双方の期間に前記電話回線の極性反転が生じたと判別された場合に、受信した前記電話番号を前記表示手段に表示しない制御を行う、請求項４に記載の通信装置。
【発明の詳細な説明】
【技術分野】
【０００１】
本発明は、通信装置に関する。
【背景技術】
【０００２】
発信者番号通知サービス（ナンバーディスプレイサービス）が知られている。発信者番号通知サービスでは、まず、交換機が、交換機と受信側の通信装置とを接続する通信回線の極性反転を行う。次に、交換機が受信側の通信装置へ情報受信端末起動信号（ＣＡＲ信号）を送信する。受信側の通信装置は、ＣＡＲ信号を検出すると、交換機に一次応答信号を送信する。次に、交換機は、受信側の通信装置から一次応答信号を受信した後、発信電話番号などの発信元電話番号を通信装置に送信する。通信装置では、発信元電話番号の受信完了を示す受信完了信号を交換機へ送信した後に、交換機から呼出信号（ＩＲ）を受信したときに、受信済の発信元電話番号を表示し、発信元装置と通信を行う。
【０００３】
すなわち、受信側の通信装置では、極性反転の後に情報受信端末起動信号（ＣＡＲ）を受信すると、回線を閉結して発信元電話番号を受信し、回線を開放して呼出信号（ＩＲ）を待つ。そして、呼出信号（ＩＲ）を受信したときに、受信済の発信元電話番号を表示する。
【０００４】
ここで、受信側の通信装置において、発信元電話番号受信後から呼出信号（ＩＲ）を受信するまでの期間に、発信元装置が通信切断する場合がある。このような場合に、異なる発信元装置から呼出信号（ＩＲ）を受信すると、通信中の発信元装置とは異なる発信元装置の発信元電話番号が表示される場合があった。
【０００５】
このような誤出力を抑制する技術として、例えば、特許文献１には、回線の極性反転を検出し、自端末の電話器に呼出音を出力している間に極性反転を検出すると、呼出音の出力を停止することが開示されている。
【発明の概要】
【発明が解決しようとする課題】
【０００６】
しかし、従来技術では、出力を切断することは出来るものの、発信者の通信中止による誤った発信元電話番号の表示を抑制することはできなかった。
【０００７】
本発明は、上記に鑑みてなされたものであって、発信元電話番号の誤表示を抑制することができる、通信装置を提供することを目的とする。
【課題を解決するための手段】
【０００８】
上述した課題を解決し、目的を達成するために、本発明は、通信装置であって、直流方向検出手段と、電圧変動検出手段と、表示手段と、第１制御手段と、第１判別手段と、第２判別手段と、第２制御手段と、を備える。直流方向検出手段は、通信装置と交換機とを接続する電話回線の直流電流方向の変化を検出する。電圧変動検出手段は、前記電話回線の電圧変動を検出する。表示手段は、前記電話回線に接続された送信元装置の電話番号を表示する。第１制御手段は、前記交換機から前記電話番号を受信したときに、受信完了信号を前記交換機へ送信する制御を行う。第１判別手段は、前記電話番号を受信してから前記受信完了信号を送信するまでの第１期間に前記電話回線の直流電流方向の変化が検出された場合に、該第１期間に前記電話回線の極性反転が生じたと判別する。第２判別手段は、前記受信完了信号を送信してから、当該通信装置を呼び出すための呼出信号を受信するまでの第２期間に、前記電圧変動検出手段によって前記電話回線の電圧変動が検出された場合に、該第２期間に前記電話回線の極性反転が生じたと判別する。第２制御手段は、前記第１期間及び前記第２期間の少なくとも一方の期間に前記電話回線の極性反転が生じたと判別された場合に、受信した前記電話番号を前記表示手段に表示しない制御を行う。
【発明の効果】
【０００９】
本発明によれば、発信元電話番号の誤表示を抑制することができる、という効果を奏する。
【図面の簡単な説明】
【００１０】
【図１】図１は、本通信装置の概略構成図である。
【図２】図２は、ナンバーディスプレイ機能を示すシーケンスである。
【図３】図３は、網制御部の機能的構成を示すブロック図である。
【図４】図４は、直流方向検出回路５４及び電圧変動検出回路５６の回路図である。
【図５】図５は、信号ａ、信号ｂ、信号ｃ、及び信号ｄの図である。
【図６】図６は、信号ａ、信号ｂ、信号ｃ、及び信号ｄの図である。
【図７】図７は、信号ａ、信号ｂ、信号ｃ、及び信号ｄの図である。
【図８】図８は、発信元電話番号表示処理の手順を示すフローチャートである。
【図９】図９は、発信元電話番号表示処理の手順を示すフローチャートである。
【図１０】図１０は、信号ａ、信号ｂ、信号ｃ、信号ｄを示す図である。
【図１１】図１１は、信号ａ、信号ｂ、信号ｃ、信号ｄを示す図である。
【図１２】図１２は、信号ａ、信号ｂ、信号ｃ、信号ｄを示す図である。
【図１３】図１３は、発信元電話番号表示処理の手順を示すフローチャートである。
【発明を実施するための形態】
【００１１】
以下に添付図面を参照して、通信装置の一の実施の形態を詳細に説明する。
【００１２】
（実施の形態１）
図１は、本実施の形態の通信装置１０の概略構成図である。
【００１３】
通信装置１０は、電話回線Ｌ１、電話回線Ｌ２を介して交換機１４に接続されている。なお、電話回線Ｌ１及び電話回線Ｌ２を総称して説明する場合には、電話回線１６と称して説明する。
【００１４】
通信装置１０は、電話回線１６及び交換機１４を介して、他の通信装置と情報通信を行う。通信装置１０としては、ファクシミリ装置、ファクシミリ機能付の復号機、パーソナルコンピュータ等がある。なお、本実施の形態では、通信装置１０を、ファクシミリ装置に適用した場合を説明する。通信装置１０は、発信元電話番号を表示するナンバーディスプレイ機能（発信者番号通知機能）を有する。
【００１５】
ここで、ナンバーディスプレイ機能の概要を説明する。図２は、ナンバーディスプレイ機能を示すシーケンスである。
【００１６】
まず、発信元端末１５の発呼（ＳＥＱ１００）により、交換機１４は、電話回線Ｌ１と電話回線Ｌ２の極性を反転させる（以下、極性反転と称する）（ＳＥＱ１０２）。極性反転とは、電話回線Ｌ１及び電話回線Ｌ２に印加する電圧を反転することである。例えば、通常状態で、電話回線Ｌ１に地気、電話回線Ｌ２に−４８Ｖの電圧を印加していたとする。この場合、極性反転によって、電話回線Ｌ１に−４８Ｖの電圧を印加し、電話回線Ｌ２に地気を印加する。
【００１７】
次に、交換機１４は、情報受信端末起動信号（ＣＡＲ）を、通信装置１０へ送信する（ＳＥＱ１０４）。情報受信端末起動信号（ＣＡＲ）は、発信元端末１５の電話番号である発信元電話番号の送信に先だって交換機１４から通信装置１０へ送信される信号である。情報受信端末起動信号（ＣＡＲ）は、０．４秒〜０．６秒のオフ時間を介して、０．４秒〜０．６秒のオン時間のタイミングで電話回線１６に出力される、７５（＋８−１０）Ｖｒｍｓ、１５Ｈｚ〜２０Ｈｚの交流信号である。
【００１８】
情報通信端末起動信号を受け付けた通信装置１０は、電話回線１６を閉結して一次応答信号を交換機１４へ出力する（ＳＥＱ１０６）。交換機１４では、情報受信端末起動信号（ＣＡＲ）の出力後に検出した、通信装置１０による電話回線１６の直流ループの形成を、一次応答信号として受け付ける。
【００１９】
一次応答信号を受け付けた交換機１４は、発信元端末１５の発信元電話番号の信号（ＭＯＤＥＭ信号）を通信装置１０へ出力する（ＳＥＱ１０８）。ＭＯＤＥＭ信号を受け付けた交換機１４は、受信完了信号を交換機１４へ出力する（ＳＥＱ１１０）。具体的には、通信装置１０では、通信装置１０における、電話回線１６の開放による電話回線１６の直流ループの切断を、受信完了信号として受け付ける。
【００２０】
受信完了信号を受け付けた交換機１４は、通信装置１０を呼び出すための呼出信号を通信装置１０へ出力する（ＳＥＱ１１２）。呼出信号（ＩＲ）は、２秒のオフ時間を介して、１秒のオン時間のタイミングで電話回線１６に出力される、７５（＋８−１０）Ｖｒｍｓ、１５Ｈｚ〜２０Ｈｚの交流信号である。
【００２１】
呼出信号（ＩＲ）を受け付けた通信装置１０は、既に受け付けている発信元電話番号を表示する（ＳＥＱ１１４）。そして、通信装置１０は、二次応答信号を交換機１４へ出力する（ＳＥＱ１１６）。交換機１４では、呼出信号（ＩＲ）の出力後に検出した、通信装置１０による電話回線１６の直流ループの形成を、二次応答信号として受け付ける。
【００２２】
次に、交換機１４は、電話回線Ｌ１及び電話回線Ｌ２の極性を復極する（ＳＥＱ１１８）。極性を復極する、とは、電話回線Ｌ１及び電話回線Ｌ２に印加する電圧を反転させて、上記ＳＥＱ１０２による極性反転前の電圧に戻すことを意味する。
【００２３】
そして、通信装置１０と発信元端末１５による通常の通信（通話等）が行われる（ＳＥＱ１２０）。
【００２４】
すなわち、通信装置１０では、電話回線Ｌ１及び電話回線Ｌ２の極性反転の後に、情報受信端末起動信号（ＣＡＲ）を受信すると、電話回線１６を閉結して直流ループを形成する。そして、通信装置１０は、発信元端末１５の電話元電話番号の信号（ＭＯＤＥＭ信号）を受信し、ＭＯＤＥＭ信号受信後は、一旦、電話回線１６を開放して、呼出信号（ＩＲ）を待つ。その後、呼出信号（ＩＲ）を受信したときに、受信済みの、発信元電話番号を表示する。なお、通信装置１０が電話端末である場合には、呼出信号（ＩＲ）受信時には鳴動させるが、情報受信端末起動信号（ＣＡＲ）の受信のときは、鳴動させない。
【００２５】
このように、ナンバーディスプレイ機能では、交換機１４から通信装置１０へ、呼出信号（ＩＲ）に先立って、発信元の発信元端末１５の発信元電話番号のＭＯＤＥＭ信号を通信装置１０へ送信する。これによって、通信装置１０には、発信元の発信元端末１５の発信元電話番号が表示される。
【００２６】
ここで、従来では、通信装置１０において発信元電話番号のＭＯＤＥＭ信号を受信してから呼出信号（ＩＲ）を受信するまでに間に、発信元端末１５が通信切断する場合がある。このような場合に、異なる発信元端末１５からの呼出信号（ＩＲ）を受信すると、既に受信済の発信元電話番号が通信装置１０に表示されるという問題があった。
【００２７】
そこで、本実施の形態の通信装置１０では、通信装置１０において発信元電話番号のＭＯＤＥＭ信号を受信してから呼出信号（ＩＲ）を受信するまでに間の、発信元端末１５の通信切断を、電話回線１６の極性反転を判別することで検出し、受信済の発信元電話番号の表示を行わない。このため、本実施の形態の通信装置１０では、発信元電話番号の誤表示を抑制することができる。
【００２８】
以下、本実施の形態の通信装置１０の詳細を説明する。
【００２９】
図１に戻り、説明を続ける。通信装置１０は、網制御部２０、モデム２２、制御部２４、記憶部２６、ＵＩ部２８、読取部３０、記録部３２、及び時計部３４を備える。制御部２４、記憶部２６、ＵＩ部２８、読取部３０、記録部３２、及び時計部３４は、システムバス３６を介して接続されている。
【００３０】
網制御部２０は、電話回線Ｌ１及び電話回線Ｌ２を介して交換機１４に接続されている。網制御部２０は、電話回線１６と通信装置１０本体との直流的絶縁を維持した状態で、モデム２２と電話回線１６の接続及び切断を制御する。
【００３１】
モデム２２は、交換機１４と通信装置１０との間で送受信するデータを変調または復調し、交換機１４と制御部２４との間のデータ通信を仲介する。具体的には、モデム２２は、網制御部２０を介して電話回線１６に送信するデータを変調する。また、モデム２２は、網制御部２０を介して電話回線１６から受信するデータを復調する。モデム２２は、伝送手順信号をやりとりするための低速ＦＡＸモデム機能（Ｖ．２１モデム）、主に画情報をやりとりするための高速ＦＡＸモデム機能（Ｖ．３４モデム、Ｖ．１７モデム、Ｖ３３モデム、Ｖ２９モデム、Ｖ．２７ｔｅｒモデムなど）、および、電話番号情報等の受信に用いるデータモデム機能（Ｖ．２３モデム）を備えている。
【００３２】
制御部２４は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータであり、通信装置１０全体を制御する。また、制御部２４は、後述する発信元電話番号表示処理を実行する。
【００３３】
具体的には、制御部２４は、網制御部２０とモデム２２との間の接続を制御すると共に、モデム２２と、記憶部２６、ＵＩ部２８、読取部３０、記録部３２、及び時計部３４とのデータ送受信を管理する。
【００３４】
制御部２４は、第１制御部２４Ａ、第１判別部２４Ｂ、第２判別部２４Ｃ、及び第２制御部２４Ｄを備える。これらの各機能部については詳細を後述する。
【００３５】
記憶部２６は、各種情報を記憶する。本実施の形態では、記憶部２６は、ＳＡＦメモリや、ページメモリ等を含む。ＳＡＦ(ストア  アンド  フォワード)メモリは、読取部３０で読み取った画像情報を一時ファイルとして蓄積する圧縮データメモリー用のメモリである。ページメモリは、読取部３０で読み取った画像情報を一時的に蓄積すると共に、該画像情報の画像を記録部３２によって記録するときのデータ展開に用いる、バッファ用のメモリである。また、記憶部２６には、図示を省略するバックアップ用回路が接続されている。バックアップ用回路には、記憶部２６に記憶されているデータが記憶される。このため、記憶部２６に記憶されているデータは、バックアップ用回路によってバックアップされる。すなわち、本実施の形態の通信装置１０では、通信装置１０への電力供給遮断時にも、記憶部２６の記憶内容が保持される構成となっている。
【００３６】
ＵＩ部（ユーザ・インターフェース部）２８（表示手段）は、各種情報を入力または表示する。ＵＩ部２８は、例えば、タッチパネル付のディスプレイ等が挙げられる。なお、ＵＩ部２８を、ボタン、リモコン受信部、および、ＩＣカードなどから情報を読取るカードリーダなどにより構成される入力デバイスを備えた構成としてもよい。また、ユーザによる操作入力を受け付けるために、ＵＩ部２８は、キーボード、テンキー、スタートキー、及びワンタッチダイヤルキーの内少なくとも１つを備えた構成としてもよい。また、ＵＩ部２８は、これらのキーボード、テンキー、スタートキー、及びワンタッチダイヤルキーの内少なくとも１つをタッチパネル上に表示し、ユーザによって操作される構成としてもよい。
【００３７】
本実施の形態では、ＵＩ部２８は、各種指示情報をユーザから受け付ける。また、ＵＩ部２８は、発信元電話番号や、通信装置１０の動作状態や、各種メッセージ等を表示する。
【００３８】
読取部３０は、電話回線１６を介して他の装置（例えば、他の通信装置１０）との間で通信する対象の原稿画像を読み取り、画像情報を得る。読取部３０は、公知のスキャナ装置を用いる。読取部３０としては、例えば、３．８５本／ｍｍ、７．７本／ｍｍ、１５．４本／ｍｍ等の所定の読取線密度で原稿画像を読取って画像情報を得る。読取部３０が取得した画像情報は、記憶部２６のラインバッファに逐次蓄積され、制御部２４の制御によってユーザ所望の機器に転送される。
【００３９】
記録部３２は、通信装置１０で受信した画像情報の画像、または読取部３０で読み取った画像情報の画像を、記録媒体に記録する。記録部３２としては、公知の画像形成機能が挙げられる。
【００４０】
時計部３４は、現在時刻を計時する。また、時計部３４は、タイマ機能を有する。具体的には、時計部３４は、制御部２４で設定された時定数をカウントダウンしてタイムアウトしたときに、タイムアウトを示す信号を制御部２４へ通知する。
【００４１】
次に、網制御部２０について詳細に説明する。図３は、網制御部２０の機能的構成を示すブロック図である。
【００４２】
網制御部２０は、直流方向検出回路５４、電圧変動検出回路５６、リレー部４２、ダイオードブリッジ４４、ループ開閉スイッチ４６、直流ループ回路４８、ライントランス５０、及びリンギング検出回路５２を備える。
【００４３】
電話回線１６の電話回線Ｌ１は、リレー部４２の端子４２Ａに接続されている。また、電話回線１６の電話回線Ｌ２は、リレー部４２の端子４２Ｄに接続されている。ダイオードブリッジ４４は、リレー部４２の端子４２Ｃ及び端子４２Ｆに接続されている。また、ダイオードブリッジ４４は、ライントランス５０及びループ開閉スイッチ４６の端子４６Ａに接続されている。リンギング検出回路５２は、リレー部４２の端子４２Ｂ及び端子４２Ｅに接続されている。また、リンギング検出回路５２は、制御部２４に接続されている。
【００４４】
リレー部４２は、電話回線Ｌ１と電話回線Ｌ２の各々の接続先を、ライントランス５０及びリンギング検出回路５２の何れか一方に切り替える。リレー部４２では、待機時には、電話回線Ｌ１と電話回線Ｌ２の各々がリンギング検出回路５２に接続されるように接続状態を切り換える。
【００４５】
詳細には、リレー部４２は、電話回線Ｌ１とリンギング検出回路５２が接続された状態、または電話回線Ｌ１とダイオードブリッジ４４とが接続された状態に接続状態を切り換える。具体的には、リレー部４２は、端子４２Ａと端子４２Ｂとが接続した状態、または端子４２Ａと端子４２Ｃとが接続した状態に接続状態を切り換える。また、リレー部４２は、電話回線Ｌ２とリンギング検出回路５２とが接続された状態、または電話回線Ｌ２とダイオードブリッジ４４とが接続された状態に接続状態を切り換える。具体的には、リレー部４２は、端子４２Ｄと端子４２Ｅとが接続した状態、または端子４２Ｄと端子４２Ｆとが接続した状態に接続状態を切り換える。リレー部４２のスイッチの切り替えは、制御部２４の制御によって行われる。
【００４６】
ダイオードブリッジ４４は、電話回線１６の直流電流の極性を一方向に整流する。整流された直流電流は、ループ開閉スイッチ４６に到る。
【００４７】
ループ開閉スイッチ４６は、ループの閉／開を制御するためのスイッチである。具体的には、ループ開閉スイッチ４６は、ダイオードブリッジ４４とライントランス５０とを接続した状態または接続解除された状態に接続状態を切り換える。具体的には、ループ開閉スイッチ４６は、端子４６Ａと端子４６Ｂとが接続した状態、またはこれらの端子４６Ａと端子４６Ｂとの接続が解除された状態に、接続状態を切り換える。
【００４８】
すなわち、ループ開閉スイッチ４６によってダイオードブリッジ４４とライントランス５０が接続した状態となることで、電話回線１６を閉結して交換機１４と通信装置１０との間で直流ループを形成した状態となる。また、ループ開閉スイッチ４６によって、ダイオードブリッジ４４とライントランス５０とが接続解除した状態となることで、電話回線１６が開放されて直流ループが切断される。
【００４９】
ライントランス５０は、ダイオードブリッジ４４、ループ開閉スイッチ４６の端子４６Ｂ、及びモデム２２に接続されている。ライントランス５０は、直流電流の絶縁を維持したまま、電話回線１６とモデム２２の通信を仲介するためのトランスである。
【００５０】
直流ループ回路４８は、ループ開閉スイッチ４６とライントランス５０とを接続する信号線と、ライントランス５０とダイオードブリッジ４４とを接続する信号線と、に接続されている。直流ループ回路４８は、ループ開閉スイッチ４６によってダイオードブリッジ４４とライントランス５０とが接続されてループが閉じられたときに、所定の直流抵抗を提供するように構成された回路である。
【００５１】
リンギング検出回路５２は、情報受信端末起動信号（ＣＡＲ）や、呼出信号（ＩＲ）を検出する。上述したように、情報受信端末起動信号（ＣＡＲ）は、０．４秒〜０．６秒のオフ時間を介して、０．４秒〜０．６秒のオン時間のタイミングで電話回線１６に出力される、７５（＋８−１０）Ｖｒｍｓ、１５Ｈｚ〜２０Ｈｚの交流信号である。また、呼出信号（ＩＲ）は、２秒のオフ時間を介して、１秒のオン時間のタイミングで電話回線１６に出力される、７５（＋８−１０）Ｖｒｍｓ、１５Ｈｚ〜２０Ｈｚの交流信号である。
【００５２】
このため、リンギング検出回路５２は、具体的には、１５Ｈｚ〜２０Ｈｚの振幅を検出し、検出結果を制御部２４へ出力する。制御部２４では、リンギング検出回路５２による１５Ｈｚ〜２０Ｈｚの振幅検出タイミング（ＯＮ／ＯＦＦタイミング）を計測することにより、情報受信端末起動信号（ＣＡＲ）、呼出信号（ＩＲ）を判定する。
【００５３】
交換機１４から通信装置１０へ情報受信端末起動信号（ＣＡＲ）が出力されると、リンギング検出回路５２及び制御部２４が、該情報受信端末起動信号（ＣＡＲ）を検出する。情報受信端末起動信号（ＣＡＲ）が検出されると、制御部２４は、ループ開閉スイッチ４６を閉じてダイオードブリッジ４４とライントランス５０とを接続した状態にする。この操作は、直流ループの形成に相当し、通信装置１０から交換機１４への一次応答信号の出力に相当する。
【００５４】
一次応答信号を受け付けた交換機１４では、一次応答信号の受け付けから０．１秒〜３秒後に、発信元電話番号のＭＯＤＥＭ信号を通信装置１０へ送信する。制御部２４では、モデム２２を介して、ＭＯＤＥＭ信号を受信し、発信元電話番号を記録部３２に格納する。そして、ＭＯＤＥＭ信号受信から、約０．３秒経過した後に、制御部２４はループ開閉スイッチ４６を開放する。そして、ダイオードブリッジ４４とライントランス５０との接続状態を解除する。この操作は、直流ループの切断に相当し、通信装置１０から交換機１４への受信完了信号の出力に相当する。受信完了信号を受け付けた交換機１４では、受信完了信号の受信から０．３秒以上経過した後に、呼出信号（ＩＲ）を通信装置１０へ出力する。通信装置１０のリンギング検出回路５２及び制御部２４は、該呼出信号（ＩＲ）を検出する。呼出信号（ＩＲ）が検出されると、制御部２４は、記録部３２に格納していた発信元電話番号をＵＩ部２８に表示する。
【００５５】
直流方向検出回路５４は、交換機１４との間で直流ループが閉じられている（直流ループが形成されている）ときに、電話回線Ｌ２を流れる直流電流の流れる方向を検出する。直流方向検出回路５４は、電話回線Ｌ２に直列に接続されている。また、直流方向検出回路５４は、制御部２４に接続されており、検出結果を制御部２４へ出力する。
【００５６】
電圧変動検出回路５６は、交換機１４との間の直流ループが開放（切断）されているときの、電話回線１６の電圧変動を検出する回路である。電圧変動検出回路５６は、電話回線Ｌ１と電話回線Ｌ２に接続されている。また、電圧変動検出回路５６は、制御部２４に接続されており、電圧変動の検出結果を、制御部２４へ出力する。
【００５７】
図４は、電圧変動検出回路５６、及び直流方向検出回路５４の回路図である。
【００５８】
電圧変動検出回路５６は、フォトカプラ５６Ｄ、フォトカプラ５６Ｃ、コンデンサ５６Ａ、及び抵抗５６Ｂを備える。フォトカプラ５６Ｄは、電話回線Ｌ１及び電話回線Ｌ２に接続されている。フォトカプラ５６Ｃは、フォトカプラ５６Ｄに逆並列接続されている。コンデンサ５６Ａ及び抵抗５６Ｂは、フォトカプラ５６Ｄに直列に接続されている。コンデンサ５６Ａは、充放電回路を形成する。フォトカプラ５６Ｄ及びフォトカプラ５６Ｃは、電話回線Ｌ１及び電話回線Ｌ２の極性によって何れか一方が動作する。
【００５９】
電圧変動検出回路５６では、直流ループ開放状態のときに、コンデンサ５６Ａが電話回線Ｌ１及び電話回線Ｌ２間の電圧にまで充電される。そして、電話回線Ｌ１と電話回線Ｌ２に極性反転が生じたときに、逆方向電圧に向かって充放電される。なお、充放電時間は、コンデンサ５６Ａと抵抗５６Ｂによって定まる時定数による。この充放電時間は、検出に要する時間が確保できる範囲であり、かつ、予め定められた規格を満足できる範囲の内で極力小さい値となるように設定されている。
【００６０】
また、抵抗５６Ｂは、充放電時間を決めると共に、充放電時のフォトカプラ５６Ｄ及びフォトカプラ５６Ｃの電流値を決定する。このため、抵抗５６Ｂの抵抗値としては、フォトカプラ５６Ｄ及びフォトカプラ５６Ｃに、これらのフォトカプラ５６Ｄ及びフォトカプラ５６Ｃの最大動作電流以上の電流が流れない値が予め設定されている。
【００６１】
抵抗５８Ｃ及び抵抗５８Ｄは、信号ｃ及び信号ｄのプルアップ抵抗である。電圧変動検出回路５６のフォトカプラ５６Ｃ及びフォトカプラ５６Ｄがオン状態となることで、これらの抵抗５８Ｃ及び抵抗５８Ｄに電流が流れ、信号ｃ及び信号ｄがローレベルに下がる。
【００６２】
具体的には、電話回線１６が開放して、交換機１４と通信装置１０との間で形成されていた直流ループが切断され、直流ループが開放された状態にあるとする。そして、この状態において、電話回線Ｌ１及び電話回線Ｌ２の電位が、Ｌ１＜Ｌ２の状態から、Ｌ１＞Ｌ２の状態に変化したとする。この場合には、抵抗５８Ｃに電流が流れ、信号ｃに一定幅のローパルスが出力される。また、この状態において、電話回線Ｌ１及び電話回線Ｌ２の電位が、Ｌ１＞Ｌ２からＬ１＜Ｌ２に変化したとする。この場合には、抵抗５８Ｄに電流が流れ、信号ｄに一定幅のローパルスが出力される。
【００６３】
直流方向検出回路５４は、フォトカプラ５４Ｂ、フォトカプラ５４Ｃ、及び抵抗５４Ａを備える。フォトカプラ５４Ｂは、電話回線Ｌ２に並列に接続されている。フォトカプラ５４Ｃは、フォトカプラ５４Ｂに逆並列接続されている。フォトカプラ５４Ｂ及びフォトカプラ５４Ｃは、電話回線Ｌ２の極性によって何れか一方が動作する。
【００６４】
抵抗５４Ａは、フォトカプラ５４Ｂ及びフォトカプラ５４Ｃの電流値を決定する。このため、抵抗５４Ａの抵抗値としては、フォトカプラ５４Ｂ及びフォトカプラ５４Ｃの最大動作電流以上の電流が、フォトカプラ５４Ｂ及びフォトカプラ５４Ｃに流れない値が予め設定されている。
【００６５】
直流方向検出回路５４の抵抗５８Ａ及び抵抗５８Ｂは、信号ａ及び信号ｂのプルアップ抵抗である。フォトカプラ５４Ｂ及びフォトカプラ５４Ｃがオン状態となることで、これらの抵抗５８Ａ及び抵抗５８Ｂに電流が流れ、信号ａ及び信号ｂがローレベルに下がる。
【００６６】
具体的には、電話回線１６が閉結して交換機１４と通信装置１０との間で直流ループを形成した状態にあり、且つ電話回線Ｌ１と電話回線Ｌ２の電位がＬ１＞Ｌ２の関係を示すとする。この場合には、直流方向検出回路５４のフォトカプラ５４Ｃがオン状態となり、抵抗５８Ｃに電流が流れ、信号ｃがローレベルになる。一方、電話回線１６が閉結して交換機１４と通信装置１０との間で直流ループを形成した状態にあり、且つ電話回線Ｌ１と電話回線Ｌ２の電位がＬ２＞Ｌ１の関係を示すとする。この場合には、直流方向検出回路５４のフォトカプラ５４Ｂがオン状態となり、信号ｂに電流が流れ、信号ｂがローレベルになる。
【００６７】
これらの信号ａ〜信号ｄについて、より詳細に説明する。
【００６８】
図５〜図７は、待機時（図２中、極性反転（ＳＥＱ１０２）を受け付ける前の時期）における電話回線Ｌ１及び電話回線Ｌ２の電位がＬ１＜Ｌ２の関係を示す場合における、発信元電話番号の表示処理における、信号ａ、信号ｂ、信号ｃ、信号ｄを示す模式図である。
【００６９】
図５は、第１期間及び第２期間の双方の期間において、直前に受信した発信元電話番号のＭＯＤＥＭ信号における該発信元電話番号によって特定される発信元端末１５との、通話切断による極性反転が生じなかった場合の、信号ａ、信号ｂ、信号ｃ、及び信号ｄの動作を示している。
【００７０】
なお、第１期間とは、交換機１４から発信元電話番号のＭＯＤＥＭ信号を受信後で、且つ該ＭＯＤＥＭ信号に対する受信完了信号を送信するまでの期間である。第２期間とは、該受信完了信号を送信後で、且つＭＯＤＥＭ信号の発信元電話番号によって特定される発信元端末１５による呼出信号（ＩＲ）を受け付けるまでの期間である。
【００７１】
図５に示すように、電話回線１６の極性反転が生じると（タイミングＴ１）、信号ｄが期間Ｐ１の間、ローレベルとなる。続けて、通信装置１０が情報受信端末起動信号（ＣＡＲ）を受信すると、情報受信端末起動信号が信号ｃ及び信号ｄに出力される（タイミングＴ２）。通信装置１０が一次応答信号を出力（タイミングＴ３）した後に交換機１４からＭＯＤＥＭ信号を受信すると、ＭＯＤＥＭ信号がＰ２の期間、信号ａに出力される（タイミングＴ４）。そして、通信装置１０が受信完了信号を出力すると（タイミングＴ５）、信号ａがハイレベルに戻る。次いで、呼出信号（ＩＲ）が信号ｃ及び信号ｄに出力される（タイミングＴ６）。通信装置１０が二次応答信号を出力する（タイミングＴ７）、信号ａが期間Ｐ３の間、ローレベルとなり、電話回線１６の極性反転によって（タイミングＴ８）、信号ａがハイレベルとなり、信号ｂがローレベルとなる。
【００７２】
図６は、第１期間に、発信元端末１５との通話切断によって電話回線１６の極性反転が生じたときの信号ａ、信号ｂ、信号ｃ、及び信号ｄの動作を示している。
【００７３】
図６に示すように、電話回線１６の極性反転が生じると（タイミングＴ９）、信号ｄが期間Ｐ１の間、ローレベルとなる。続けて、通信装置１０が情報受信端末起動信号（ＣＡＲ）を受信すると、情報受信端末起動信号が信号ｃ及び信号ｄに出力される（タイミングＴ１０）。通信装置１０が一次応答信号を出力（タイミングＴ１１）した後に交換機１４からＭＯＤＥＭ信号を受信すると、ＭＯＤＥＭ信号がＰ２の期間、信号ａに出力される（タイミングＴ１２）。ここで電話回線１６の極性反転が生じて復極すると（タイミングＴ１３）、信号ａはハイレベルに戻り、信号ｂは期間Ｐ４の間、ローレベルとなる。そして、直流ループが切断されることで（タイミングＴ１４）、信号ｂがハイレベルに戻り、信号ｃ及び信号ｄに呼出信号（ＩＲ）が出力される（タイミングＴ１５）。
【００７４】
このため、電話回線Ｌ１と電話回線Ｌ２の電位がＬ１＜Ｌ２の関係を示す場合には、第１期間に信号ｂのローレベル（０）を検出したときに、制御部２４は、第１期間に発信元端末１５との通話切断が生じたと判別する。
【００７５】
図７は、第２期間に、発信元端末１５との通話切断によって電話回線１６の極性反転が生じたときの信号ａ、信号ｂ、信号ｃ、及び信号ｄの動作を示している。
【００７６】
図７に示すように、電話回線１６の極性反転が生じると（タイミングＴ１６）、信号ｄが期間Ｐ１の間、ローレベルとなる。続けて、通信装置１０が情報受信端末起動信号（ＣＡＲ）を受信すると、情報受信端末起動信号が信号ｃ及び信号ｄに出力される（タイミングＴ１７）。通信装置１０が一次応答信号を出力（タイミングＴ１８）した後に交換機１４からＭＯＤＥＭ信号を受信すると、ＭＯＤＥＭ信号がＰ２の期間、信号ａに出力される（タイミングＴ１９）。そして、受信完了信号を出力することで（タイミングＴ２０）。信号ａがハイレベルに戻る。次に、電話回線１６の極性反転が生じて復極すると（タイミングＴ２１）、信号ｃが期間Ｐ５の間、ローレベルとなる。そして、信号ｃ及び信号ｄに呼出信号（ＩＲ）が出力される（タイミングＴ２２）。
【００７７】
このため、電話回線Ｌ１と電話回線Ｌ２の電位がＬ１＜Ｌ２の関係を示す場合には、第２期間に信号ｃのローレベル（０）を検出したときに、制御部２４は、第２期間に発信元端末１５との通話切断が生じたと判別する。
【００７８】
なお、図５〜図７において、情報受信端末起動信号（ＣＡＲ）受信中と、呼出信号（ＩＲ）受信中は、周期的に電圧が変動する。このため、信号ｃ及び信号ｄには、周期的なパルスが発生する。一方、極性反転したときのローパルスの幅（期間Ｐ４及び期間Ｐ５参照）は、情報受信端末起動信号の受信期間及び呼出信号受信期間に比べて長い。このため、制御部２４では、これらのパルス幅を計測することにより、情報受信端末起動信号（ＣＡＲ）、呼出信号（ＩＲ）、及び極性反転の各々を区別することができる。
【００７９】
また、詳細は後述するが、本実施の形態の通信装置１０では、第１期間及び第２期間に極性反転（復極）を検出したときは、発信元端末１５との通信切断と判別し、その後に呼出信号（ＩＲ）を受信しても、それ以前の受信とは、別の呼出として処理し、その時点で受信済みの発信元電話番号は、表示しないように制御する。
【００８０】
なお、待機時の電話回線Ｌ１及び電話回線Ｌ２の電位が、Ｌ１＞Ｌ２の関係を示す場合については、信号ａと信号ｂの動作が図５〜図７に示す例とは逆となり、信号ｃと信号ｄの動作が図５〜図７に示す例とは逆となる。
【００８１】
このため、本実施の形態の通信装置１０の制御部２４では、第１期間の信号ａ及び信号ｂの電位が、ＭＯＤＥＭ信号受信前の信号ａ及び信号ｂの電位とは異なることを検出したときに、電話回線１６の極性反転（すなわち復極）が生じたと判定し、第１期間に発信元端末１５との通話切断が生じたと判別する。すなわち、制御部２４では、第１期間の信号ａ及び信号ｂの何れかの電位がローレベルであることを検出したときに、電話回線１６の極性反転（すなわち復極）が生じたと判定し、第１期間に発信元端末１５との通話切断が生じたと判別する。
【００８２】
また、本実施の形態の通信装置１０の制御部２４では、第２期間の信号ｃ及び信号ｄの何れかがローレベル（０）であることを検出し、且つ該ローレベルである期間が情報受信端末起動信号（ＣＡＲ）の受信期間、及び呼出信号受信期間に比べて長いときに、電話回線１６の極性反転（すなわち復極）が生じたと判定し、第２期間に発信元端末１５との通話切断が生じたと判別する。
【００８３】
図１に戻り、第１制御部２４Ａは、上述したナンバーディスプレイ表示機能実行時における、通信装置１０と交換機１４との間で送受信する情報及び信号を制御する。すなわち、第１制御部２４Ａは、上述した情報受信端末起動信号（ＣＡＲ）、一次応答信号、受信完了信号、二次応答信号等の各種信号や情報の交換機１４への送信タイミング等を制御する。
【００８４】
第１判別部２４Ｂは、通信装置１０が発信元電話番号（モデム信号）を受信してから受信完了信号を出力するまでの間の第１期間に、直流方向検出回路５４によって直流電流方向の変化が検出された場合に、該第１期間に前記電話回線の極性反転が生じたと判別する。第１判別部２４Ｂは、この直流電流方向の変化を、信号ｂ及び信号ａから得られる信号（パルス）から判別する。
【００８５】
第２判別部２４Ｃは、通信装置１０から交換機１４へ受信完了信号を送信してから呼出信号を受信するまでの第２期間に、電圧変動検出回路５６によって電話回線１６の電圧変動が検出された場合に、該第２期間に電話回線１６の極性反転が生じたと判別する。第２判別部２４Ｃは、この電圧変動を、信号ｃ及び信号ｄから得られる信号（パルス）から判別する。
【００８６】
第２制御部２４Ｄは、第１期間及び第２期間の少なくとも一方の期間に電話回線１６の極性反転が生じたと判別された場合に、発信元端末１５の通信切断と判別し、受信済の電話番号をＵＩ部２８に表示しない制御を行う。
【００８７】
次に、本実施の形態の通信装置１０の制御部２４で実行する発信元電話番号表示処理を説明する。図８は、本実施の形態の制御部２４で実行する発信元電話番号表示処理の手順を示すフローチャートである。
【００８８】
まず、第１制御部２４Ａが、情報受信端末起動信号（ＣＡＲ）を受信したか否かを判断する（ステップＳ２００）。ステップＳ２００で否定判断すると、ステップＳ２０２へ進み、肯定判断すると、ステップＳ２０６へ進む。
【００８９】
ステップＳ２０６では、第１制御部２４Ａが一次応答信号を出力し（ステップＳ２０６）、直流ループ閉結時の信号ａ及び信号ｂの状態を、（ａ’，ｂ’）として記録部３２に保存する（ステップＳ２０８）。次に、発信元電話番号のＭＯＤＥＭ信号を交換機１４から受信すると（ステップＳ２１０）、ステップＳ２１２へ進む。
【００９０】
ステップＳ２１２では、第１判別部２４Ｂが、極性反転を検出したか否かを判断する（ステップＳ２１２）。具体的には、制御部２４は、信号ａ及び信号ｂの値が、上記ステップＳ２０８で記憶した値と同じでない（（ａ，ｂ）≠（ａ’，ｂ’））か否かを判断する。そして、制御部２４では、ステップＳ２０８で記憶した値と同じでない場合には、極性反転を検出したとして、肯定判断し（ステップＳ２１２：Ｙｅｓ）、ステップＳ２３２へ進む。
【００９１】
すなわち、このステップＳ２３２の判断において、第１判別部２４Ｂでは、第１期間の信号ａ及び信号ｂの電位が、ＭＯＤＥＭ信号受信前の信号ａ及び信号ｂの電位とは異なることを検出する。そして、この検出によって、電話回線１６の極性反転（すなわち復極）が生じたと判定し、第１期間に発信元端末１５との通話切断が生じたと判別する。
【００９２】
ステップＳ２３２では、第１制御部２４Ａは、ナンバーディスプレイに関する受信処理を終了し（ステップＳ２３２）、上記ステップＳ２００へ戻る。ステップＳ２３２では、第１制御部２４Ａは、電話回線１６を閉結することで受信処理終了を示す信号を交換機１４へ送信する。これによって、制御部２４は、再度、情報受信端末起動信号（ＣＡＲ）または呼出信号（ＩＲ）の受信待ちの状態に戻る。
【００９３】
上記ステップＳ２１２の判断によって、第１判別部２４Ｂが極性反転を検出しなかった場合には（ステップＳ２１２：Ｎｏ）、ステップＳ２１６へ進む。ステップＳ２１６では、第１制御部２４Ａが、受信完了信号を交換機１４へ出力する（ステップＳ２１６）。
【００９４】
次に、第２判別部２４Ｃは、極性反転を検出したか否かを判断する（ステップＳ２１８）。具体的には、第２判別部２４Ｃは、第２期間において、信号ｃ及び信号ｄの何れかがローレベル（０）であることを検出し、且つ該ローレベルである期間が情報受信端末起動信号（ＣＡＲ）の受信期間、及び呼出信号受信期間に比べて長いときに、電話回線１６の極性反転（すなわち復極）が生じたと判定する。ステップＳ２１８の処理によって、第２判別部２４Ｃは、第２期間に発信元端末１５との通話切断が生じたと判別する。
【００９５】
ステップＳ２１８で肯定判断し（ステップＳ２１８：Ｙｅｓ）、極性反転を検出した場合、すなわち第２期間における通話切断を判別すると、ステップＳ２３２へ進み、ナンバーディスプレイに関する受信処理を終了する。そして、上記ステップＳ２００へ戻る。
【００９６】
一方、ステップＳ２１８で否定判断（ステップＳ２１８：Ｎｏ）し、第２判別部２４Ｃが第２期間に通話切断を判断しなかった場合には、ステップＳ２２０へ進む。
【００９７】
ステップＳ２２０では、第１制御部２４Ａは、呼出信号（ＩＲ）を受信したか否かを判断する（ステップＳ２２０）。ステップＳ２２０で否定判断すると（ステップＳ２２０：Ｎｏ）、ステップＳ２２６へ進み、所定時間経過したか否かを判断する（ステップＳ２２６）。ステップＳ２２６で否定判断すると（ステップＳ２２６：Ｎｏ）、上記ステップＳ２１８へ戻り、肯定判断すると（ステップＳ２２６：Ｙｅｓ）、ステップＳ２３２へ進む。
【００９８】
一方、ステップＳ２２０で肯定判断し（ステップＳ２２０：Ｙｅｓ）、第１制御部２４Ａが呼出信号（ＩＲ）を受信したと判断すると、第２制御部２４Ｄが、上記ステップＳ２１０で受信した発信元電話番号をＵＩ部２８に表示する（ステップＳ２２２）。
【００９９】
次に、第１制御部２４Ａは、二次応答信号を交換機１４へ出力し（ステップＳ２２８）。ステップＳ２３０へ進む。ステップＳ２３０では、通信装置１０と、発信元端末１５との間での通信を開始する。
【０１００】
一方、上記ステップＳ２００で否定判断すると（ステップＳ２００：Ｎｏ）、ステップＳ２０２へ進む。ステップＳ２０２では、第１制御部２４Ａが呼出信号（ＩＲ）を受信したか否かを判断する（ステップＳ２０２）。ステップＳ２０２で否定判断すると（ステップＳ２０２：Ｎｏ）、上記ステップＳ２００へ戻る。一方、ステップＳ２０２で肯定判断すると（ステップＳ２０２：Ｙｅｓ）、ステップＳ２０４へ進む。ステップＳ２０４において、第１制御部２４Ａは、直流ループを閉結し、上記ステップＳ２３０へ進む。
【０１０１】
以上説明したように、本実施の形態の通信装置１０では、第１期間または第２期間に、電話回線１６の極性反転を検出した場合には、発信元端末１５との間の通信切断であると判別し、受信済の発信元電話番号をＵＩ部２８に表示しない制御を行う。また、通信装置１０では、第１期間及び第２期間に、電話回線１６の極性反転を検出しなかったときには、通信装置１０と発信元端末１５の間の通信が継続中であるとして、受信済の発信元電話番号をＵＩ部２８に表示する制御を行う。
【０１０２】
このため、本実施の形態の通信装置１０では、発信元電話番号の誤表示を抑制することができる。
【０１０３】
また、本実施の形態の通信装置１０では、電圧変動検出回路５６からの出力信号によって、第２期間における電話回線１６の極性反転を検出する。また、直流方向検出回路５４からの出力信号によって、第１期間における電話回線１６の極性反転を検出する。これによって、第１期間及び第２期間の各々における、発信元端末１５との通信切断を検出する。
【０１０４】
このため、本実施の形態の通信装置１０では、簡易な構成で容易に発信元電話番号の誤表示を抑制することができる。
【０１０５】
なお、図８を用いて説明した発信元電話番号表示処理において、発信元端末１５が通信切断したときに、交換機１４から通信装置１０へ話中音を送信してもよい。この場合には、具体的には、交換機１４は、通信装置１０の直流ループが閉結している間に発信元端末１５が通信切断したときに、通信装置１０との電話回線１６の極性反転をした後に、話中音を通信装置１０へ送信すればよい。そして、通信装置１０側では、直流ループが閉結しているときに極性反転を検出すると共に、話中音を検出したときに、発信元端末１５の通信切断を判断する。このため、通信装置１０では、より確実に、発信元端末１５との通信切断を検出することができる。
【０１０６】
交換機１４から話中音を受信する場合に、通信装置１０で実行する発信元電話番号表示処理を説明する。図９は、通信装置１０で実行する、図８とは異なる発信元電話番号表示処理の手順を示すフローチャートである。
【０１０７】
まず、通信装置１０の制御部２４では、図８と同様にして、ステップＳ２００〜ステップＳ２１２の処理を行う。これによって、通信装置１０では、情報受信端末起動信号（ＣＡＲ）を受信すると、一次応答信号を出力し、信号ａ及び信号ｂの状態を記録部３２に記憶した後に、発信元電話番号のＭＯＤＥＭ信号を受信する。そして、極性反転の有無を判断する。
【０１０８】
次に、ステップＳ２１２で肯定判断し（ステップＳ２１２：Ｙｅｓ）、極性反転を検出すると、ステップＳ３００へ進み、話中音を交換機１４から受信したか否かの判断（ステップＳ３００）を、所定時間経過するまで繰り返し実行する（ステップＳ３０２：Ｎｏ）。そして、所定時間内に話中音を交換機１４から受信した場合には（ステップＳ３０２：Ｎｏ、ステップＳ３００：Ｙｅｓ）。ステップＳ２３２へ進み、受信終了処理を行った（ステップＳ２３２）後に、ステップＳ２００へ戻る。
【０１０９】
すなわち、第１制御部２４Ａでは、第１期間における極性反転の判別によって、発信元端末１５の通話切断を判断し、話中音の受信を待つ。そして、第１制御部２４Ａでは、話中音を検出したときに、受信処理を終了し、情報受信端末起動信号（ＣＡＲ）及び呼出信号（ＩＲ）待ちの状態に戻る。
【０１１０】
一方、所定時間の間に話中音を受信しなかった場合には（ステップＳ３００：Ｎｏ、ステップＳ３０２：Ｙｅｓ）、ステップＳ３０４へ進む。ステップＳ３０４では、第１制御部２４Ａは、話中受信エラーを示すインジケータを記憶部２６に記憶（セット）し（ステップＳ３０４）、ステップＳ２１６へ進む。
【０１１１】
そして、図８と同様にして、制御部２４は、ステップＳ２１６、ステップＳ２１８、ステップＳ２２０、ステップＳ２２６、及びステップＳ２３２の処理を行う。なお、ステップＳ２２０で肯定判断すると（ステップＳ２２０：Ｙｅｓ）、ステップＳ３０６へ進む。
【０１１２】
ステップＳ３０６において、第１制御部２４Ａは、話中音受信エラーが生じているか否かを判断する（ステップＳ３０６）。第１制御部２４Ａは、上記ステップＳ３０４の処理によって記憶部２６に話中エラーインジケータがセットされているか否かを判別することで、ステップＳ３０６の判断を行う。
【０１１３】
話中音受信エラーが生じていない場合には否定判断し（ステップＳ３０６：Ｎｏ）、ステップＳ２２２へ進む。ステップＳ２２２では、第２制御部２４Ｄが、ステップＳ２１０で受信した発信元電話番号をＵＩ部２８へ表示し、ステップＳ２２８へ進む。一方、ステップＳ３０６で肯定判断し（ステップＳ３０６：Ｙｅｓ）、話中音受信エラーが生じている場合には、ステップＳ２２２の表示処理を行わずにステップＳ２２８へ進む。ステップＳ２２８では、第１制御部２４Ａは、二次応答信号を交換機１４へ出力した後に、ステップＳ２３０へ進み、発信元端末１５との通信を開始する。
【０１１４】
このように、発信元端末１５が通信切断したときに、交換機１４から通信装置１０へ話中音を送信する場合には、通信装置１０では、発信元電話番号のＭＯＤＥＭ信号を受信後、信号ａ及び信号ｂの反転に基づいて極性反転を判断し、話中音の受信を待つ。そして、話中音が検出されたときは、受信処理を終了し、情報受信端末起動信号（ＣＡＲ）及び呼出信号（ＩＲ）待ちの状態に戻る。また、該極性反転（第１期間における発信元端末１５の通信切断）を判断した場合には、話中音を受信するまで待機し、受信したときに、処理を終了する、また、該極性反転を判断した場合に、所定期間内に話中音を受信しなかった場合には、受信完了信号を出力して元の処理に戻るが、受信済の発信元電話番号のＵＩ部２８への表示は行わない。これは、呼出信号（ＩＲ）を受信しても、それが受信済みの発信元電話番号によって特定される発信元端末１５からの呼出信号である可能性は低いためである。
【０１１５】
このように、通信装置１０側では、直流ループが閉結しているときに極性反転を検出すると共に、第１期間に話中音を検出したときに、発信元端末１５の通信切断を判断する。このため、通信装置１０では、より確実に、発信元端末１５との通信切断を検出することができる。
【０１１６】
（実施の形態２）
実施の形態１では、第２期間における電話回線１６の極性反転（発信元端末１５の通信切断）を、電圧変動検出回路５６から出力される信号（信号ｃ、信号ｄ）によって検出する場合を説明した。しかし、通信装置１０が受信完了信号を交換機１４に出力したとき(直流ループを切断したとき)の電圧変動に電圧変動検出回路５６が反応し、信号ｃにローパルスが出力される場合がある。
【０１１７】
そこで、本実施の形態では、この電圧変動によるローパルス出力を、誤って極性反転として検知することを抑制する。具体的には、本実施の形態の通信装置１０では、第２期間における電話回線１６の極性反転を、直流方向検出回路５４から出力される信号（信号ａ、信号ｂ）と、電圧変動検出回路５６から出力される信号（信号ｃ、信号ｄ）の双方から検出する。
【０１１８】
なお、通信装置１０の構成は、制御部２４による極性反転の判断方法が実施の形態１と異なる以外は、実施の形態１と同じである。このため、同様の機能及び処理の説明は省略し、実施の形態２における、第２期間の極性反転の判断方法について説明する。
【０１１９】
図１０〜図１２は、待機時（図２中、極性反転（ＳＥＱ１０２）を受け付ける前の時期）における電話回線Ｌ１及び電話回線Ｌ２の電位がＬ１＜Ｌ２の関係を示す場合における、発信元電話番号のＭＯＤＥＭ信号を受信したときの、信号ａ、信号ｂ、信号ｃ、信号ｄを示す模式図である。また、図１０〜図１２には、通信装置１０が受信完了信号を交換機１４に出力したとき(直流ループを切断したとき)の電圧変動に電圧変動検出回路５６が反応し、信号ｃにローパルスが出力された場合を示した。
【０１２０】
詳細には、図１０は、第１期間及び第２期間の双方の期間において、直前に受信した発信元電話番号のＭＯＤＥＭ信号における該発信元電話番号によって特定される発信元端末１５との、通話切断による極性反転が生じなかった場合の、信号ａ、信号ｂ、信号ｃ、及び信号ｄの動作を示している。
【０１２１】
図１０では、図５と同様に、電話回線１６の極性反転が生じると（タイミングＴ１）、信号ｄが期間Ｐ１の間ローレベルとなる。続けて、通信装置１０が情報受信端末起動信号（ＣＡＲ）を受信すると、情報受信端末起動信号（ＣＡＲ）が信号ｃ及び信号ｄに出力される（タイミングＴ２）。通信装置１０が一次応答信号を出力（タイミングＴ３）した後に交換機１４からＭＯＤＥＭ信号を受信すると、ＭＯＤＥＭ信号がＰ２の期間、信号ａに出力される（タイミングＴ４）。そして、通信装置１０が受信完了信号を出力すると（タイミングＴ５）、信号ａがハイレベルに戻る。次いで、呼出信号（ＩＲ）が信号ｃ及び信号ｄに出力される（タイミングＴ６）。通信装置１０が二次応答信号を出力する（タイミングＴ７）、信号ａが期間Ｐ３の間、ローレベルとなり、電話回線１６の極性反転によって（タイミングＴ８）、信号ａがハイレベルとなり、信号ｂがローレベルとなる。
【０１２２】
ここで、更に、図１０に示すように、受信完了信号を出力することで（タイミングＴ５）生じる電圧変動に電圧変動検出回路５６が反応し、信号ｃに、該タイミングＴ５に続く期間Ｐ５の間、ローパルスが出力される場合がある。
【０１２３】
このため、このような信号ｃの期間Ｐ５のローパルスを、制御部２４が極性反転として検出してしまう場合がある。
【０１２４】
極性反転によって信号ｄに出力されるローパルス（期間Ｐ１）と、受信完了信号の電圧変動により信号ｄに出力されるローパルス（期間Ｐ５）とを区別する方法として、制御部２４では、信号ｄのローパルスの期間が定めた閾値より長い場合を極性反転とし、信号ｄのローパルスが該閾値以下である場合を極性反転ではないと判別する方法が挙げられる。
【０１２５】
しかし、この極性反転によるローパルスの期間Ｐ１と、受信完了信号の電圧変動によるローパルスの期間Ｐ５と、の区別を、これらの期間の長さの差で区別する場合には、網制御部２０を構成する回路素子の特性ばらつきをなくす必要が別途生じる。
【０１２６】
そこで、本実施の形態の制御部２４では、直流ループ閉結時の信号ａ及び信号ｂの状態に基づいて、受信完了信号出力後の信号ｃ及び信号ｄの監視方法を決定する。これによって、本実施の形態の制御部２４では、受信完了信号出力時の電圧変動に起因するパルス出力を極性反転と誤検出することを抑制する。
【０１２７】
ところで、電圧変動検出回路５６及び直流方向検出回路５４では、通信装置１０が受信完了信号を交換機１４へ出力するときに信号ａ〜信号ｄに出力するパルスと、電話回線１６の極性反転時に信号ａ〜信号ｄに出力するパルスと、は異なるものとなる。
【０１２８】
具体的には、図１１に示すように、電話回線Ｌ１及び電話回線Ｌ２の待機時の電位がＬ１＜Ｌ２の関係を示すときには、受信完了信号出力時には、信号ｄに期間Ｐ５のローパルスが出力される。そして、極性反転時には、信号ｃに期間Ｐ６のローパルスが出力される。
【０１２９】
一方、電話回線Ｌ１及び電話回線Ｌ２の待機時の電位がＬ１＞Ｌ２の関係を示すときには、図１２に示すように、信号ａと信号ｂの動作が図１１に示す動作とは逆になり、信号ｃと信号ｄの動作が図１１に示す動作とは逆になる。すなわち、図１２に示すように、受信完了信号出力時には、信号ｃに期間Ｐ８のローパルスが出力される。そして、極性反転時には、信号ｄに期間Ｐ９のローパルスが出力される。
【０１３０】
すなわち、直流方向検出回路５４及び電圧変動検出回路５６では、直流ループ閉結時（電話回線１６を閉結して直流ループを形成しているとき、すなわち第１期間）に信号ａがローレベルである場合には、第２期間（受信完了信号出力後）の極性反転によるパルスは信号ｃに発生する。一方、直流ループ閉結時（第１期間）に信号ｂがローレベルである場合には、第２期間（受信完了信号出力後）の極性反転によるパルスは、信号ｄに発生する。
【０１３１】
このため、本実施の形態の通信装置１０では、第１期間（直流ループ閉結時）において、信号ａがローレベルである場合には、第２判別部２４Ｃは、第２期間における電圧変動検出回路５６からの信号ｃがローレベルとなったときを、極性反転、すなわち発信元端末１５の通信切断と判断する。また、通信装置１０では、第１期間（直流ループ閉結時）において、信号ｂがローレベルである場合には、第２判別部２４Ｃは、第２期間における電圧変動検出回路５６からの信号ｄがローレベルとなったときを、極性反転、すなわち発信元端末１５の接続切断と判断する。
【０１３２】
次に、実施の形態２の通信装置１０の制御部２４で実行する発信元電話番号表示処理を説明する。図１３は、実施の形態２の制御部２４で実行する発信元電話番号表示処理の手順を示すフローチャートである。
【０１３３】
なお、実施の形態２の制御部２４では、実施の形態１の制御部２４で実行する発信元電話番号表示処理（図８）と同様の処理を行う。すなわち、実施の形態２の制御部２４では、実施の形態１のステップ２００〜ステップＳ２３０と同様の処理を行う。異なる点は、実施の形態１の第２判別部２４Ｃで実行する発信元電話番号処理のステップＳ２１８（図８参照）に代えて、ステップＳ４００（図１３参照）の処理を行う点である。このため、同様の処理には同じ符号を付与して説明を省略し、異なる処理のみ説明する。
【０１３４】
ステップＳ４００では、第２判別部２４Ｃは、極性反転を検出したか否かを判断する（ステップＳ４００）。具体的には、第２判別部２４Ｃは、信号ｃ及び信号ｄが、ステップＳ２０６の一次応答信号出力後の信号ａ及び信号ｂの状態であるか否かを判断する。換言すれば、第２判別部２４Ｃは、信号ｃ及び信号ｄが、ステップＳ２０８で記憶部２６に記憶した信号ａ及び信号ｂの状態（ａ’，ｂ’）と同じになり、かつ、その状態が所定時間継続したときに、第２期間において極性反転が発生したものと判断する。そして、ステップＳ４００で肯定すると（ステップＳ４００：Ｙｅｓ）、ステップＳ２３２へ進み、ステップＳ４００で否定すると（ステップＳ４００：Ｎｏ）、ステップＳ２２０へ進む。
【０１３５】
このように、本実施の形態の通信装置１０では、第２期間における電話回線１６の極性反転を、第１期間に直流方向検出回路５４から出力された信号（信号ａ、信号ｂ）と、第２期間に電圧変動検出回路５６から出力された信号（信号ｃ、信号ｄ）の双方の検出結果から判別する。そして、判別した極性反転を、第２期間の発信元端末１５による通信切断と判定する。
【０１３６】
このため、本実施の形態の通信装置１０では、受信完了信号出力時のパルス出力を極性反転と誤検出することがなくなり、高精度で、発信元受信番号の誤表示を抑制することができる。
【０１３７】
なお、実施の形態１及び実施の形態２の通信装置１０は、通常のコンピュータを利用したハードウェア構成となっている。
【０１３８】
実施の形態１及び実施の形態２の通信装置１０で実行される発信元電話番号表示処理を実行するためのプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１３９】
また、実施の形態１及び実施の形態２の通信装置１０で実行される発信元電話番号表示処理を実行するためのプログラムを、インターネット等のネットワークに接続されたコンピュータ上に格納し、ネットワーク経由でダウンロードさせることにより提供するように構成してもよい。また、実施の形態１及び実施の形態２の通信装置１０で実行される発信元電話番号表示処理を実行するためのプログラムをインターネット等のネットワーク経由で提供または配布するように構成してもよい。
【０１４０】
また、実施の形態１及び実施の形態２の通信装置１０で実行される発信元電話番号表示処理を実行するためのプログラムを、ＲＯＭ等に予め組み込んで提供するように構成してもよい。
【０１４１】
なお、実施の形態１及び実施の形態２の通信装置１０の制御部２４は、上述した発信元電話番号表示処理を実行するための機能部（第１制御部２４Ａ、第１判別部２４Ｂ、第２判別部２４Ｃ、第２制御部２４Ｄ）を含むモジュール構成となっており、実際のハードウェアとしてはＣＰＵ（プロセッサ）が上記記憶媒体から、発信元電話番号表示処理を実行するためのプログラムを読み出して実行することにより上記各機能部が主記憶装置上にロードされ、主記憶装置上に生成されるようになっている。
【０１４２】
なお、上記には、いくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【０１４３】
１０  通信装置
２０  網制御部
２４  制御部
２４Ａ  第１制御部
２４Ｂ  第１判別部
２４Ｃ  第２判別部
２４Ｄ  第２制御部
２８  ＵＩ部
５２  リンギング検出回路
５４  直流方向検出回路
５６  電圧変動検出回路
【先行技術文献】
【特許文献】
【０１４４】
【特許文献１】特許第３５０６８１１号公報
【図１】
2013123128.tif 000003
【図２】
2013123128.tif 000004
【図３】
2013123128.tif 000005
【図４】
2013123128.tif 000006
【図５】
2013123128.tif 000007
【図６】
2013123128.tif 000008
【図７】
2013123128.tif 000009
【図８】
2013123128.tif 000010
【図９】
2013123128.tif 000011
【図１０】
2013123128.tif 000012
【図１１】
2013123128.tif 000013
【図１２】
2013123128.tif 000014
【図１３】
2013123128.tif 000015